(57)【要約】【課題】レンズ鏡筒に部品を組み付ける際の組立作業性の向上とレンズ鏡筒からの部品の容易な取り外しを実現可能としたレンズ鏡筒及び撮像装置を提供する。【解決手段】レンズ鏡筒の２群鏡筒８は、２群ＦＰＣ２６、センサホルダ２７、２群レンズホルダ２９、マグネット３０Ａ、マグネット３０Ｂ、コイルユニット３４Ａ、コイルユニット３４Ｂ絞りアクチュエータ３８、シャッタアクチュエータ３９、２群ベース４０等を備える。コイルユニット３４Ａの端子部３４Ａ−ａ、コイルユニット３４Ｂの端子部３４Ｂ−ａ、絞りアクチュエータ３８の端子部３８ａ、シャッタアクチュエータ３９の端子部３９ａを、次のように配置する。各端子部を、２群ベース４０を光軸に直交する平面に投影した投影部分のうち、光軸と、絞りアクチュエータ３８の端子部３８ａ、シャッタアクチュエータ３９を含む半分の投影部分に配置する。【選択図】図７
2010164883.tif 000002
【特許請求の範囲】
【請求項１】
ベース部材と、
光軸に直交する平面内でレンズを前記ベース部材に対して相対的に移動させることが可能に保持する保持部材と、
前記保持部材に取り付けられたマグネットと、
前記ベース部材に取り付けられると共に、前記マグネットに対して光軸方向において向かい合う位置に配置されたコイルと、
前記ベース部材に取り付けられると共に、前記コイルに対して光軸を挟んで対向する位置に配置されて、絞り或いはシャッタを駆動し、通電用の端子部を有する少なくとも１つの駆動部材と、を備え、
前記コイルの前記端子部と前記駆動部材の前記端子部を、前記ベース部材を光軸に直交する平面に投影した投影部分のうち光軸と前記駆動部材を含む半分の投影部分に配置したことを特徴とするレンズ鏡筒。
【請求項２】
前記コイルと前記マグネットを挟んで対向する位置に配置され、前記マグネットの磁界の変化を検出するホール素子と、
前記ベース部材に位置決めされて固定され、前記ホール素子を保持する保持枠と、
前記コイルの前記端子部と前記駆動部材の前記端子部と前記ホール素子が半田付けされ、これらを電気的に接続するフレキシブルプリント基板と、を更に備え、
前記保持枠は、前記フレキシブルプリント基板の半田付けがされた状態で前記フレキシブルプリント基板を介して前記ベース部材に対して開閉が可能であり、
前記保持部材は、前記保持枠の開閉により着脱が可能であることを特徴とする請求項１記載のレンズ鏡筒。
【請求項３】
前記保持枠と前記フレキシブルプリント基板は、それぞれ円弧形状に形成されており、
前記保持枠は、円周方向の片側から前記フレキシブルプリント基板を介して前記コイルの前記端子部および前記駆動部材の前記端子部と接続され、
前記ホール素子に近い側の前記コイルの前記端子部の近傍から前記フレキシブルプリント基板を折り曲げることで、前記保持枠を開閉させることを特徴とする請求項２記載のレンズ鏡筒。
【請求項４】
前記保持枠は、円弧形状に形成され、前記フレキシブルプリント基板は、円環形状に形成されており、
前記保持枠は、円周方向の両側から前記フレキシブルプリント基板を介して前記コイルの前記端子部および前記駆動部材の前記端子部と接続され、
前記ホール素子に近い側の前記コイルの前記端子部の近傍から前記フレキシブルプリント基板を面方向の両側より折り曲げることで、前記保持枠を開閉させることを特徴とする請求項２記載のレンズ鏡筒。
【請求項５】
前記駆動部材を被写体側から前記ベース部材に固定するカバー部材、を更に備え、
前記ホール素子に最も近い前記コイルの前記端子部よりも更に前記ホール素子の側に前記フレキシブルプリント基板の曲げ位置を規制する突起部を、前記カバー部材に設けたことを特徴とする請求項２記載のレンズ鏡筒。
【請求項６】
前記フレキシブルプリント基板の曲げ位置の近傍で曲げの内側部分を部分的に除去したことを特徴とする請求項５記載のレンズ鏡筒。
【請求項７】
請求項１乃至６のいずれかに記載のレンズ鏡筒を備えることを特徴とする撮像装置。
【発明の詳細な説明】
【技術分野】
【０００１】
本発明は、レンズ鏡筒及び撮像装置に関する。
【背景技術】
【０００２】
従来、銀塩フィルムを用いて撮影を行うフィルムカメラや、撮像素子を用いて撮影を行うデジタルカメラが広範に利用されている。更に、近年は、カメラの携帯性の向上等を目的に、カメラの小型化や焦点距離の変化率（ズーム倍率）を大きくするための内部機構に関わる技術開発が進展し、各種の技術が提案されている。
【０００３】
カメラには、撮影レンズの焦点距離が変更可能なズームカメラや、焦点距離が固定されている単焦点カメラがある。これらのカメラにおいては、非撮影時（カメラの電源ＯＦＦ時）の小型化や、撮影時（カメラの電源ＯＮ時）の焦点距離の変更を可能とするため、撮影レンズの繰り出しおよび繰り込みが可能なレンズ鏡筒が装備されていることが一般的である。
【０００４】
図１０に従来の撮像装置（カメラ）の２群鏡筒の構成例を示す。２群鏡筒は、２群レンズ群１１６、マグネット１２１ａ、１２１ｂ、ホール素子１２３ａ、１２３ｂ、２群レンズホルダ１２７、２群ベース１３１を備える。更に、２群鏡筒は、コイルユニット１３８ａ、１３８ｂ、ＦＰＣ（フレキシブルプリント基板）１４１、センサホルダ１４３、カバー部材１４５を備える。
【０００５】
近年、レンズ鏡筒を備えるカメラにおいては、機能を向上させつつコストを低減するための技術が要望されている。また、単に部品コストを低減するだけではなく、レンズ鏡筒の組立工数の削減などによる全体的なコストの低減を実現するための技術開発が急務となっている。
【０００６】
一方、カメラの小型化も進み、カメラに防振機能を搭載することが当たり前となった昨今では、カメラ内部の防振ユニットが小型化されると共に複雑化している。そのため、防振ユニットの構成部品の組み立ておよび構成部品の取り外しの作業性の難易度が高くなっている。
【０００７】
上記のような小型化した防振ユニットに関しては、防振用の駆動部材とシャッタ開閉用の駆動部材を同じ地板に配置することで、小さいスペースに複数の駆動部材を両立して配置することを可能とした技術が開示されている（例えば、特許文献１参照）。
【先行技術文献】
【特許文献】
【０００８】
【特許文献１】特開２００７−２１９３３８号公報
【発明の概要】
【発明が解決しようとする課題】
【０００９】
しかしながら、上記の特許文献１記載の技術は、防振レンズが地板とホール素子を保持する保持枠に挟まれた構成であり、地板に接着され一体となった防振コイルの端子が保持枠を貫通してＦＰＣに半田付けされている。そのため、防振コイルの端子をＦＰＣに一度半田付けをしてしまうと、防振レンズを外すには半田を取る必要があった。また、防振コイルの端子にはコイル線が絡げられた状態で半田付けされている。そのため、何度も半田の付け外しを行うと、コイル線の断線や、ＦＰＣ側のパターンが剥がれて電気的な導通が取れなくなる等の問題が生じる可能性があった。
【００１０】
本発明の目的は、レンズ鏡筒に部品を組み付ける際の組立作業性の向上とレンズ鏡筒からの部品の容易な取り外しを実現することを可能としたレンズ鏡筒及び撮像装置を提供することにある。
【課題を解決するための手段】
【００１１】
上記目的を達成するために、本発明は、ベース部材と、光軸に直交する平面内でレンズを前記ベース部材に対して相対的に移動させることが可能に保持する保持部材と、前記保持部材に取り付けられたマグネットと、前記ベース部材に取り付けられると共に、前記マグネットに対して光軸方向において向かい合う位置に配置されたコイルと、前記ベース部材に取り付けられると共に、前記コイルに対して光軸を挟んで対向する位置に配置されて、絞り或いはシャッタを駆動し、通電用の端子部を有する少なくとも１つの駆動部材と、を備え、前記コイルの前記端子部と前記駆動部材の前記端子部を、前記ベース部材を光軸に直交する平面に投影した投影部分のうち光軸と前記駆動部材を含む半分の投影部分に配置したことを特徴とする。
【発明の効果】
【００１２】
本発明によれば、コイルの端子部と駆動部材の端子部を、ベース部材を光軸に直交する平面に投影した投影部分のうち光軸と駆動部材を含む半分の投影部分に配置し集結させる。これにより、レンズ鏡筒に部品を組み付ける際の組立作業性の向上とレンズ鏡筒からの部品の容易な取り外しを実現することが可能となる。
【図面の簡単な説明】
【００１３】
【図１】本発明の実施の形態に係る撮像装置の外観を示す斜視図である。
【図２】撮像装置のレンズ鏡筒の構成を示す分解斜視図である。
【図３】レンズ鏡筒の２群鏡筒の構成を示す分解斜視図である。
【図４】２群鏡筒を被写体側から見た場合の構成を示す平面図である。
【図５】２群鏡筒の２群ベース・シャッタ羽根・絞りフィルタ等を撮像面側から見た場合の構成を示す分解斜視図である。
【図６】２群鏡筒を被写体側から見た場合の構成を示す平面図である。
【図７】２群鏡筒に対し防振の２群レンズ群の２群レンズホルダを着脱する際の様子を示す斜視図である。
【図８】２群レンズ群の２群レンズホルダの取り付けを完了した際の様子を示す斜視図である。
【図９】本発明の実施の形態の変形例に係る２群鏡筒を被写体側から見た場合の構成を示す平面図である。
【図１０】従来例に係る撮像装置の２群鏡筒の構成を示す分解斜視図である。
【発明を実施するための形態】
【００１４】
以下、本発明の実施の形態を図面に基づいて説明する。
【００１５】
図１は、本発明の実施の形態に係る撮像装置の外観を示す斜視図である。
【００１６】
図１において、撮像装置は、例えばデジタルカメラとして構成されており、カメラ本体１とレンズ鏡筒２を備えている。カメラ本体１の前面側には、撮影レンズの焦点距離が変更可能なレンズ鏡筒２が設けられている。レンズ鏡筒２の前面側には、カメラの電源のＯＮ・ＯＦＦに従って撮影レンズの光路を開閉するレンズバリア機構３が装備されている。また、カメラ本体１の上面部には、被写体に照明光を照射するストロボ装置を構成する発光窓部４が設けられている。
【００１７】
カメラ本体１の前面側には、撮影者が構図を確認するためのファインダ窓５が設けられている。また、カメラ本体１の上面部には、撮影準備動作（焦点調節動作および測光動作）、撮影動作（デジタルカメラの場合はＣＣＤ等の撮像素子への露光、銀塩カメラの場合はフィルムへの露光）を開始させるためのレリーズボタン６が設けられている。尚、図１はカメラの構成例を模式図で示したものであり、本発明は図１の構成に限定されるものではない。
【００１８】
図２は、撮像装置のレンズ鏡筒の構成を示す分解斜視図である。
【００１９】
図２において、レンズ鏡筒は、１群鏡筒７、２群鏡筒８、移動カム環９、直進筒１０、固定筒１１、３群鏡筒１２、ベース部材１３を備えている。１群鏡筒７は、１群レンズ群を保持すると共に、レンズバリア機構３を備えている。２群鏡筒８は、２群レンズ群を保持すると共に、後述する防振レンズ機構とシャッタ・絞り機構を備えている。移動カム環９は、１群鏡筒７および２群鏡筒８を駆動するための駆動カムを内周部に備えると共に、鏡筒駆動モータから動力を伝達されるギア部を備えている。
【００２０】
直進筒１０は、移動カム環９に回転可能に保持されており、１群鏡筒７および２群鏡筒８の直進方向の移動を規制する。固定筒１１は、内周部に移動カム環９を駆動するための駆動カムを備えている。３群鏡筒１２は、３群レンズ群を保持する。ベース部材１３は、撮像素子（本実施の形態ではＣＣＤ）と鏡筒駆動モータを備えている。尚、レンズ鏡筒は本発明の特徴を満たす構成であれば本構成に限定されるものではない。
【００２１】
次に、本実施の形態のレンズ鏡筒が備える２群鏡筒の詳細構成について図３乃至図５を用いて説明する。
【００２２】
図３は、レンズ鏡筒の２群鏡筒の構成を示す分解斜視図である。図４は、２群鏡筒を被写体側から見た場合の構成を示す平面図である。図５は、２群鏡筒の２群ベース・シャッタ羽根・絞りフィルタ等を撮像面側から見た場合の構成を示す分解斜視図である。
【００２３】
図３、図４、図５において、図３の左斜め下方側が被写体側、右斜め上方側が撮像面側を示す。また、図５の左斜め上方側が被写体側、右斜め下方側が撮像面側を示す。２群鏡筒８は、防振レンズ機構とシャッタ・絞り機構を備えている。即ち、２群鏡筒８は、２群カバー２５、２群ＦＰＣ（フレキシブルプリント基板）２６、センサホルダ２７、２群レンズホルダ２９、マグネット３０Ａ、マグネット３０Ｂ、２群レンズ群３１を備えている。更に、２群鏡筒８は、マスク部材３３、コイルユニット３４Ａ、コイルユニット３４Ｂ、カバー部材３７、絞りアクチュエータ３８、シャッタアクチュエータ３９、２群ベース４０等を備えている。
【００２４】
２群ベース４０（ベース部材）は、２群鏡筒８の基台となる部材であり、移動カム環９のカム溝に嵌合する３本のフォロアピンを備えている。２群ベース４０には、絞りアクチュエータ３８（駆動部材）と、シャッタアクチュエータ３９（駆動部材）が取り付けられている。カバー部材３７は、絞りアクチュエータ３８とシャッタアクチュエータ３９の被写体側から被せられ、ねじ３６により２群ベース４０に締め付けられることで固定されている。これにより、絞りアクチュエータ３８とシャッタアクチュエータ３９は２群ベース４０に固定される。
【００２５】
絞りアクチュエータ３８とシャッタアクチュエータ３９は、それぞれ、コイルユニット３４Ａとコイルユニット３４Ｂに対して光軸を挟んで対向する位置に配置されている。また、絞りアクチュエータ３８とシャッタアクチュエータ３９は、共に通電方向の正逆転により駆動アームの停止位置が切り替わる２点切り替え方式のアクチュエータとして構成されている。
【００２６】
絞りアクチュエータ３８には、２群ＦＰＣ２６から該絞りアクチュエータ３８に通電するための（通電用の）端子部３８ａが設けられている。シャッタアクチュエータ３９には、２群ＦＰＣ２６から該シャッタアクチュエータ３９に通電するための（通電用の）端子部３９ａが設けられている。
【００２７】
２群レンズホルダ２９（保持部材）は、光軸に直交する平面内で２群レンズ群３１を２群ベース４０に対して相対的に移動させることが可能に保持する部材である。２群レンズホルダ２９には、マスク部材３３の外縁部に光軸方向へ延出させて設けた３箇所の爪を介して、マスク部材３３が固定されている。マスク部材３３は、２群レンズ群３１を加締めると共に撮像面側からの有害光をカットするための部材である。
【００２８】
また、２群レンズホルダ２９には、マグネット３０Ａおよびマグネット３０Ｂが一体的に取り付けられ保持されている。ここで、図３に示す符号の添字ＡおよびＢは、図４に示すＡ方向およびＢ方向にそれぞれ対応している。更に、２群レンズホルダ２９には、２箇所のフック２９ａが設けられている。２群レンズホルダ２９の２箇所のフック２９ａには、２本の引張りスプリング３２の一端部がそれぞれ掛けられている。
【００２９】
コイルユニット３４Ａおよびコイルユニット３４Ｂは、それぞれコイルとボビンから構成されている。コイルユニット３４Ａおよびコイルユニット３４Ｂは、２群ベース４０に形成された窪みに接着され固定されている。２群ベース４０の窪みは、２群ベース４０における絞りアクチュエータ３８とシャッタアクチュエータ３９が配置された位置に対して光軸Ｌを挟んでほぼ対向する位置に形成されている。コイルユニット３４Ａとコイルユニット３４Ｂは、それぞれマグネット３０Ａとマグネット３０Ｂに対して光軸方向において向かい合う位置に配置されている。
【００３０】
コイルユニット３４Ａには、２群ＦＰＣ２６から該コイルユニット３４Ａに通電するための（通電用の）端子部３４Ａ−ａが設けられている。コイルユニット３４Ｂには、２群ＦＰＣ２６から該コイルユニット３４Ｂに通電するための（通電用の）端子部３４Ｂ−ａが設けられている。コイルユニット３４Ａの端子部３４Ａ−ａとコイルユニット３４Ｂの端子部３４Ｂ−ａは、それぞれのコイルユニットのボビンに埋設されそれぞれのコイルに電気的に接続されている。
【００３１】
２群レンズホルダ２９の２箇所のフック２９ａにそれぞれ掛けられた２本の引張りスプリング３２の他端部は、２群ベース４０に設けられた２箇所のフック４０ａにそれぞれ掛けられている。２群ベース４０と２群レンズホルダ２９との間には、３個の非磁性ボール３５が挟まれている。これにより、２群レンズホルダ２９は、２群ベース４０に対し非磁性ボール３５を介して押圧された状態になっている。
【００３２】
但し、２群ベース４０と２群レンズホルダ２９との間に非磁性ボール３５を介在させているので、２群レンズホルダ２９は、光軸に直交する平面内では自由に移動することが可能になっている。２群レンズホルダ２９を光軸に直交する平面内で移動させることにより、撮像素子（ＣＣＤ）に結像される被写体の光学像を動かす制御を行うことで防振を行う。
【００３３】
２群ＦＰＣ２６は、円環の一部を切り欠いた円弧形状（Ｃ形状）に形成されている。２群ＦＰＣ２６は、コイルユニット３４Ａの端子部３４Ａ−ａ、コイルユニット３４Ｂの端子部３４Ｂ−ａ、絞りアクチュエータ３８の端子部３８ａ、シャッタアクチュエータ３９の端子部３９ａ、ホール素子２８Ａ、ホール素子２８Ｂを電気的に接続する。
【００３４】
２群ＦＰＣ２６におけるＣ形状の端部と内側には、絞りアクチュエータ３８とシャッタアクチュエータ３９が半田付けにより接続されている。また、２群ＦＰＣ２６には、コイルユニット３４Ａの端子部３４Ａ−ａとコイルユニット３４Ｂの端子部３４Ｂ−ａにそれぞれ半田付けにより接続されるランド部２６ｃとランド部２６ｄとが設けられている。更に、２群ＦＰＣ２６には、ランド部２６ａ、ランド部２６ｂ、位置決め穴２６ｅ、位置決め穴２６ｆが設けられている。
【００３５】
センサホルダ２７（保持枠）は、円弧形状に形成されている。センサホルダ２７には、マグネット３０Ａの磁界の変化を検出するホール素子２８Ａと、マグネット３０Ｂの磁界の変化を検出するホール素子２８Ｂが実装されている。ホール素子２８Ａとホール素子２８は、センサホルダ２７の円周方向においてコイルユニット３４Ａおよびコイルユニット３４Ｂとマグネット３０Ａおよびマグネット３０Ｂを挟んで対向する位置に配置されている。
【００３６】
また、センサホルダ２７には、２群ＦＰＣ２６の位置決め穴（後述）に嵌合する位置決めダボ２７ａと位置決めダボ２７ｂが設けられている。センサホルダ２７は、２群ＦＰＣ２６の半田付けが全てされた状態で、２群ＦＰＣ２６を介して２群ベース４０に対して開閉が可能に構成されている。２群レンズホルダ２９は、センサホルダ２７の開閉により２群鏡筒８に対する着脱が可能に構成されている。
【００３７】
本実施の形態では、ホール素子２８Ａ、２８Ｂの保持枠であるセンサホルダ２７と各端子部を以下のように接続する。センサホルダ２７を、円周方向の片側から２群ＦＰＣ２６を介して、コイルユニット３４Ａの端子部３４Ａ−ａ、コイルユニット３４Ｂの端子部３４Ｂ−ａ、絞りアクチュエータ３８の端子部３８ａ、シャッタアクチュエータ３９の端子部３９ａと接続する。
【００３８】
また、２群鏡筒８に対してセンサホルダ２７の開閉を行う場合は以下のように行う。ホール素子２８Ａに近い側のコイルユニット３４Ａの端子部３４Ａ−ａの近傍から、２群ＦＰＣ２６を折り曲げることで、センサホルダ２７を開閉させる（図７参照）。
【００３９】
図４は、２群レンズホルダ２９が見えるように、２群カバー２５、２群ＦＰＣ２６、センサホルダ２７、およびホール素子２８Ａとホール素子２８Ｂを取り除いた状態を示している。２群レンズホルダ２９に一体的に保持されたマグネット３０Ａとマグネット３０Ｂは、それぞれＡ方向とＢ方向に着磁されている。
【００４０】
ホール素子２８Ａとホール素子２８Ｂは、それぞれ２群レンズホルダ２９のＡ方向とＢ方向への移動を磁界の変化として検出する。そして、２群レンズホルダ２９の前記移動を磁界の変化として検出した変化量に基づいて、２群レンズホルダ２９の移動量を制御部（不図示）により算出している。
【００４１】
２郡鏡筒８におけるマグネット３０Ａおよびマグネット３０Ｂとホール素子２８Ａおよびホール素子２８Ｂの位置精度は重要である。そのため、ホール素子２８Ａおよびホール素子２８Ｂは、センサホルダ２７に対して圧入されることで精度良く位置決めされるように構成されている。
【００４２】
２群ＦＰＣ２６に設けられた位置決め穴２６ｅおよび位置決め穴２６ｆに、センサホルダ２７に設けられた位置決めダボ２７ａおよび位置決めダボ２７ｂがそれぞれ嵌合される（図３参照）。これにより、２群ＦＰＣ２６は、センサホルダ２７に対して固定される。また、センサホルダ２７は、２群ベース４０に取り付けられる。そして、２群カバー２５を、該２群カバー２５の外縁部に光軸方向へ延出させて設けたフックを介して２群ベース４０に固定する。これにより、センサホルダ２７は、２群ベース４０に対して位置決め固定される。
【００４３】
また、２群ＦＰＣ２６の各ランド部と、コイルユニット３４Ａ、コイルユニット３４Ｂ、絞りアクチュエータ３８、シャッタアクチュエータ３９の各端子部との位置関係は、以下の通りである。絞りアクチュエータ３８の端子部３８ａが２群ＦＰＣ２６のランド部２６ｂに対応する。コイルユニット３４Ａの端子部３４Ａ−ａが２群ＦＰＣ２６のランド部２６ｄに対応する。コイルユニット３４Ｂの端子部３４Ｂ−ａが２群ＦＰＣ２６のランド部２６ｃに対応する。シャッタアクチュエータ３９の端子部３９ａが２群ＦＰＣ２６のランド部２６ａに対応する。
【００４４】
図５に示すように、２群鏡筒８は、２群ベース４０に固定される部材として、シャッタ羽根４１、シャッタ羽根４２、仕切り板４３、絞りフィルタ４４、シャッタカバー４５を更に備えている。シャッタ羽根４１、シャッタ羽根４２は、シャッタアクチュエータ３９の駆動アームにより開状態と閉状態とに駆動される。仕切り板４３は、シャッタ羽根４１、シャッタ羽根４２と、絞りフィルタ４４との間に配置される。
【００４５】
絞りフィルタ４４は、光軸方向に入射してくる光量を制限する部材であり、絞りアクチュエータ３８により駆動され、光軸方向に沿った光路中への進入と退避を繰り返す。シャッタカバー４５は、該シャッタカバー４５の外縁部に光軸方向へ延出させて設けたフックを介して２群ベース４０に固定される部材であり、シャッタ羽根４１、シャッタ羽根４２、絞りフィルタ４４を保護している。尚、図５において図３に示した部材と同じ部材については符号の図示および説明を省略する。
【００４６】
図６は、２群鏡筒を被写体側から見た場合の構成を示す平面図である。
【００４７】
図６において、２群ＦＰＣ２６は、ほぼ円形状の２群ベース４０における内径部の外側の円周方向（外径部）に沿って「Ｃ形状」に這い回されている。更に、絞りアクチュエータ３８の端子部３８ａとシャッタアクチュエータ３９の端子部３９ａ、コイルユニット３４Ａの端子部３４Ａ−ａとコイルユニット３４Ｂの端子部３４Ｂ−ａを、図６で２群鏡筒８の下半分に集結させている。
【００４８】
各端子部を２群鏡筒８の平面内の半分に集結させる理由は、各端子部を２群ＦＰＣ２６に半田付けした後でも半田を取り除くことなく、ホール素子２８Ａとホール素子２８Ｂの保持枠であるセンサホルダ２７を取り外すことができるようにするためである。
【００４９】
例えば、従来例の図１０に示したようにコイルユニット１３８ａの端子部とコイルユニット１３８ｂの端子部は、２群鏡筒の光軸方向の寸法の大部分を占めている。そのため、これらの端子部と交わる位置にセンサホルダ１４３があると、必ず部品（センサホルダ１４３に端子部）を貫通させる必要がある。ＦＰＣ１４１を半田付けすると、センサホルダ１４３をそのまま外すことができなくなる。
【００５０】
従って、図６におけるコイルユニット３４Ａの端子部３４Ａ−ａとコイルユニット３４Ｂの端子部３４Ｂ−ａは、センサホルダ２７と光軸方向において交差しない位置に配置することが望ましい。即ち、コイルユニット３４Ａの端子部３４Ａ−ａとコイルユニット３４Ｂの端子部３４Ｂ−ａは、光軸を挟んで防振の２群レンズホルダ２９に対してほぼ逆側に位置する絞りアクチュエータ３８とシャッタアクチュエータ３９側の近傍に配置することが望ましい。
【００５１】
また、絞りアクチュエータ３８の端子部３８ａとコイルユニット３４Ａの端子部３４Ａ−ａとを近い位置に配置すると共に、シャッタアクチュエータ３９の端子部３９ａとコイルユニット３４Ｂの端子部３４Ｂ−ａとを近い位置に配置する。各端子部の方向を一致させることで半田付けの作業性を向上させることができる。
【００５２】
本実施の形態では、コイルユニット３４Ａの端子部３４Ａ−ａ、コイルユニット３４Ｂの端子部３４Ｂ−ａ、絞りアクチュエータ３８の端子部３８ａ、シャッタアクチュエータ３９の端子部３９ａを、以下のように配置した点が特徴である。各端子部を、２群ベース４０を光軸に直交する平面に投影した投影部分のうち、光軸と、絞りアクチュエータ３８の端子部３８ａ、シャッタアクチュエータ３９を含む半分の投影部分に配置している。即ち、各端子部を、図６で２群鏡筒８の下半分に集結させている。
【００５３】
図７は、２群鏡筒に対し防振の２群レンズ群の２群レンズホルダを着脱する際の様子を示す斜視図である。図８は、２群レンズ群の２群レンズホルダの取り付けを完了した際の様子を示す斜視図である。
【００５４】
図７、図８において、図６で説明したように２群ＦＰＣ２６が２群ベース４０に「Ｃ形状」に固定されている。２群鏡筒８における上述した端子部３８ａ、端子部３９ａ、端子部３４Ａ−ａ、端子部３４Ｂ−ａを集結させた半田集結部分から、２群ＦＰＣ２６を介してホール素子２８Ａとホール素子２８Ｂを保持するセンサホルダ２７までが繋がっている。
【００５５】
図８に示すように２群鏡筒８に取り付けられた２群レンズホルダ２９を２群鏡筒８から取り外す場合は、２群カバー２５（図３参照）を取り外した上で、図７に示すようにセンサホルダ２７を捲（めく）り上げるだけでよい。これにより、２群ＦＰＣ２６は図６のＸで示す位置から曲がる（たわむ）ため、センサホルダ２７を図７の状態まで開くことができる。
【００５６】
２群レンズホルダ２９と２群ベース４０との間に掛けられている２本の引張りスプリング３２を外すと、２群レンズホルダ２９はフリーの状態になるため、図７に示すように２群レンズホルダ２９を２群鏡筒８から取り出すことが可能となる。２群レンズホルダ２９を２群鏡筒８に組み込む場合は、この手順を逆に行う。これにより、２群レンズホルダ２９が組み込まれた元の２群鏡筒８とすることができる。
【００５７】
２群レンズホルダ２９の取り外し作業は手で行うため、センサホルダ２７を強く捲り上げると、２群ＦＰＣ２６の曲げ部に最も近いコイルユニット３４Ａの端子部３４Ａ−ａの半田を引き剥がす可能性がある。それを防止するために、コイルユニット３４Ａの端子部３４Ａ−ａよりも２群ＦＰＣ２６の曲げ部に近い位置において、絞りアクチュエータ３８とシャッタアクチュエータ３９のカバー部材３７から突起部３７ａを突出させている。そして、カバー部材３７に設けた突起部３７ａを、２群ＦＰＣ２６の半田付けされていない部分に接触する先当りのストッパとしている。
【００５８】
詳細には次のようである。即ち、２群ＦＰＣ２６には、カバー部材３７のフック付きの突起部３７ａが入る穴部が形成されている。そのため、２群ＦＰＣ２６を曲げていくと、２群ＦＰＣ２６の半田付けされている部分に力が加わる前に、２群ＦＰＣ２６が該２群ＦＰＣ２６の穴部を介してカバー部材３７の突起部３７ａに引っ掛かっている状態となっている。これにより、それ以上先（２群ＦＰＣ２６の半田付けの部分まで）に力が加わらないようにしている。
【００５９】
本実施の形態のように２群ＦＰＣ２６を「Ｃ形状」に構成している場合は、２群ＦＰＣ２６に曲げの自由度があることから、２群ＦＰＣ２６を図６に示すＹ方向に曲げることもできる。こうすることで、２群レンズホルダ２９の入口を拡大し、センサホルダ２７と干渉しないように２群レンズホルダ２９を２群鏡筒８に組み込むことができる。これにより、２群レンズホルダ２９に保持されている２群レンズ群３１のレンズ面にキズをつける可能性を低くすることができる。
【００６０】
図９は、本実施の形態の変形例に係る２群鏡筒を被写体側から見た場合の構成を示す平面図である。
【００６１】
図９において、変形例の２群ＦＰＣ２６は、図６の「Ｃ形状」の場合と異なり、ほぼ円形状の２群ベース４０における内径部の外側の円周方向（外径部）に沿って全周に繋がった「Ｏ形状」（円環形状）に這い回されている。「Ｏ形状」の２群ＦＰＣ２６は、ＦＰＣの幅を十分に確保できない場合など、上述した半田集結部分から両側に配線パターンを引き回す場合に利用することができる。尚、「Ｏ形状」の２群ＦＰＣは「Ｃ形状」の２群ＦＰＣとは形状が異なるが、便宜上、同じ符号２６を付すものとする。
【００６２】
「Ｏ形状」の２群ＦＰＣ２６の場合も、該２群ＦＰＣ２６を介して両側からセンサホルダ２７に繋がっている。２群鏡筒８に取り付けられた２群レンズホルダ２９を２群鏡筒８から取り外す場合は、２群カバー２５を取り外した上で、センサホルダ２７を捲り上げるだけでよい。これにより、図９に示すＺを回転軸として２群ＦＰＣ２６を曲げて着脱を行うことができるスペースを確保することができる。
【００６３】
本実施の形態では、ホール素子２８Ａ、２８Ｂの保持枠であるセンサホルダ２７と各端子部を以下のように接続する。センサホルダ２７を、円周方向の両側から２群ＦＰＣ２６を介して、コイルユニット３４Ａの端子部３４Ａ−ａ、コイルユニット３４Ｂの端子部３４Ｂ−ａ、絞りアクチュエータ３８の端子部３８ａ、シャッタアクチュエータ３９の端子部３９ａと接続する。
【００６４】
また、２群鏡筒８に対してセンサホルダ２７の開閉を行う場合は以下のように行う。ホール素子２８Ａとホール素子２８Ｂにそれぞれ近い側のコイルユニット３４Ａの端子部３４Ａ−ａとコイルユニット３４Ｂの端子部３４Ｂ−ａの近傍から、２群ＦＰＣ２６を面方向の両側より同時に折り曲げることで、センサホルダ２７を開閉させる。
【００６５】
但し、「Ｏ形状」の２群ＦＰＣ２６は、「Ｃ形状」の２群ＦＰＣ２６と比べてセンサホルダ２７を捲り上げて退避させる自由度が減り、２群レンズホルダ２９と干渉する可能性が高くなる。そのため、２群鏡筒８においてＦＰＣの幅を確保できるレイアウトが満たされるならば、「Ｃ形状」の２群ＦＰＣ２６にしておくことが望ましい。
【００６６】
また、「Ｏ形状」の２群ＦＰＣ２６の場合も「Ｃ形状」の２群ＦＰＣ２６の場合と同様に、以下のように突起部を設けることが必要である。即ち、曲げ部に最も近いコイルユニット３４Ａの端子部３４Ａ−ａとコイルユニット３４Ｂの端子部３４Ｂ−ａの側にも半田の引き剥がしを防止する突起部を設けることが必要である。
【００６７】
また、２群ＦＰＣ２６は、上述したように２群レンズホルダ２９を着脱する際に必ず曲げることが必要である。そのため、２群ＦＰＣ２６を少しでも曲げ易くするために、２群ＦＰＣ２６の曲げ位置の近傍で曲げの内側部分（曲げの内Ｒ）となるカバーレイ２６ｅを部分的に除去することが望ましい。
【００６８】
以上詳細に説明したように、本実施の形態によれば、コイルユニット３４Ａの端子部３４Ａ−ａ、コイルユニット３４Ｂの端子部３４Ｂ−ａ、絞りアクチュエータ３８の端子部３８ａ、シャッタアクチュエータ３９の端子部３９ａを、次のように配置する。各端子部を、２群ベース４０を光軸に直交する平面に投影した投影部分のうち、光軸と、絞りアクチュエータ３８の端子部３８ａ、シャッタアクチュエータ３９を含む半分の投影部分に配置する。
【００６９】
即ち、コイルユニット３４Ａ、コイルユニット３４Ｂ、絞りアクチュエータ３８、シャッタアクチュエータ３９の各端子部を、全て２群鏡筒８のアクチュエータ側に集結させる。そして、２群鏡筒８に対する２群レンズホルダ２９の着脱の際に蓋となるセンサホルダ２７を、各端子部から離れた位置に２群ＦＰＣ２６だけを介して接続する。
【００７０】
これにより、２群鏡筒８の防振レンズ機構における全ての半田付けが完了した状態で、蓋となるセンサホルダ２７を２群ＦＰＣ２６と繋がったまま取り外すことが可能となる。また、２群鏡筒８の防振レンズ機構から半田を除去することなく、部品（２群レンズ群３１等）を容易に取り外すことが可能となる。更に、２群鏡筒８に部品を組み付ける際の組立作業性の向上とリカバリー工数の削減を図ることが可能となり、カメラ生産において全体的なコスト削減が可能となる。
【符号の説明】
【００７１】
８  ２群鏡筒
２６  ２群ＦＰＣ
２７  センサホルダ
２８Ａ、２８Ｂ  ホール素子
２９  ２群レンズホルダ
３０Ａ、３０Ｂ  マグネット
３４Ａ、３４Ｂ  コイルユニット
３４Ａ−ａ、３４Ｂ−ａ  端子部
３７  カバー部材
３７ａ  突起部
３８  絞りアクチュエータ
３８−ａ  端子部
３９  シャッタアクチュエータ
３９−ａ  端子部
４０  ２群ベース
【図１】
2010164883.tif 000003
【図２】
2010164883.tif 000004
【図３】
2010164883.tif 000005
【図４】
2010164883.tif 000006
【図５】
2010164883.tif 000007
【図６】
2010164883.tif 000008
【図７】
2010164883.tif 000009
【図８】
2010164883.tif 000010
【図９】
2010164883.tif 000011
【図１０】
2010164883.tif 000012